(57)【要約】【課題】メスシリンダ等の計量器を用いることなく、飲料の流量変動が生じたとしても任意の供給量を実流量に基づいて容易に、かつ、正確に設定することのできる送出量の設定装置を提供する。【解決手段】販売ボタン１０Ａの操作に基づいて流量計２０Ａから出力される流量に応じたパルスをカウントし、販売ボタン１０Ａから指が離れた時点までのパルスカウント値に基づいて販売量を設定する。これにより、任意の販売量を設定する動作を目視に基づいて正確に、かつ容易に行うことができ、販売ボタン１０Ａの操作中に希釈水ＷＡの流量が偶発的に変動したとしても販売量に誤差が生じることを防ぐことができる。【選択図】      図１
2004217262.tif 000002
【特許請求の範囲】
【請求項１】
管路に設けられて液体の送出を開始させるとともに前記液体の送出を停止させる送出部と、
前記液体を送出開始又は送出停止させる操作信号を前記送出部に入力する操作部と、
前記管路に設けられて前記操作信号に基づく前記液体の送出状態を監視して前記液体の実流量に応じた流量信号を出力する信号発生部と、
前記流量信号に基づいて指定された送出量を設定する設定部とを有することを特徴とする送出量の設定装置。
【請求項２】
前記操作部は、押釦の入力時を送出開始として入力を継続することによって前記液体の送出動作を継続させるとともに、前記押釦の入力解除時に前記送出動作を終了させることを特徴とする請求項１記載の送出量の設定装置。
【請求項３】
前記操作部は、押釦の第１の入力を前記送出の開始として前記液体の送出動作を継続させるとともに、前記押釦の第２の入力によって前記送出動作を終了させることを特徴とする請求項１記載の送出量の設定装置。
【請求項４】
前記設定部は、販売動作の実行時に前記流量信号に基づく前記送出量と設定された販売量とが一致したときに前記販売動作の終了信号を出力することを特徴とする請求項１記載の送出量の設定装置。
【請求項５】
前記設定部は、販売動作の実行時に前記流量信号に基づく前記送出量と機器の設置前に予め設定された販売量とが一致したときに前記販売動作の終了信号を出力することを特徴とする請求項１記載の送出量の設定装置。
【発明の詳細な説明】
【０００１】
【発明の属する技術分野】
本発明は送出量の設定装置に関し、特に、希望する送出量を正確に、かつ、容易に設定することのできる送出量の設定装置に関する。
【０００２】
【従来の技術】
従来、カップ式飲料を供給販売する飲料供給装置では、Ｓ，Ｍ，Ｌといったカップサイズや飲料の種類に応じて、カップに供給される飲料の送出量（供給量）を販売データとしてあらかじめ装置内の記憶部に格納している。しかし、同一機種の装置であっても飲料送出系の性能には個体差があり、一定品質の販売飲料を提供するには、実販売を行う前に各飲料について供給量の調整を行う必要がある。
【０００３】
また、上記したカップサイズや飲料の種類によらずに、飲料の供給量を任意に設定したいという装置管理者の要求もある。このような場合には、希望する供給量で飲料が供給されるように供給量の設定を行う必要がある。
【０００４】
任意の供給量を設定する方法として、例えば、供給状態の目視による設定方法がある。この方法では、飲料を受容できるように飲料供給装置にカップを配置し、飲料の供給状態を目視しながらカップへの飲料供給動作を実行する。そして、希望する供給量となったところで飲料供給動作を停止して、例えば、メスシリンダ等の計量器に飲料を移し替えて計量し、その計量値を飲料供給装置に設けられるキーボード等の入力部によって入力する。飲料供給装置では、その飲料について既知である単位時間当たりの流量と入力された計量値から、希望する供給量に応じた飲料の供給時間を算出し、記憶部に格納する。
【０００５】
また、他の方法として、飲料吐出バルブの開いている時間をカウントしてカウント値に基づく供給量の設定を行うモード設定手段を有する送出量の設定装置がある（例えば、特許文献１参照。）。
【０００６】
図５は、特許文献１に示された送出量の設定装置を示す。この送出量の設定装置では、飲料の販売信号および販売中止信号を入力する飲料販売釦３０と、販売量を設定するための信号を入力するモード設定釦３１と、飲料販売の中止／つぎ足し信号を入力する中止／つぎ足し釦３２と、販売量の記憶動作を実行させる信号を入力する記憶釦３３と、飲料販売釦３０、モード設定釦３１、中止／つぎ足し釦３２、および記憶釦３３とを接続されるＩ／Ｏ部３４と、飲料の吐出動作に基づいて開閉される吐出バルブ３５と、タイマ３６Ａおよび３６Ｂを有して各部の動作を制御するＣＰＵ３６と、飲料に対する規定の販売量を吐出バルブ３５の開時間として記憶したＲＡＭ３７とを有する。
【０００７】
タイマ３６Ａは、飲料販売釦３０から入力する販売信号に基づいて吐出バルブ３５が開かれると、その開時間を計数する。
【０００８】
タイマ３６Ｂは、タイマ３６Ａで計時された吐出バルブ３５の開時間を累積して吐出バルブ３５の合計開時間として計時する。
【０００９】
このような送出量の設定装置において、飲料販売釦３０が操作されると、吐出バルブ３５が開かれて飲料が吐出されるとともにタイマ３６Ａおよび３６Ｂが計時を開始する。吐出中に中止／つぎ足し釦３２が操作されて吐出バルブ３５が閉じた場合にはタイマ３５Ａおよび３６Ｂが計時を停止し、再び飲料販売釦３０が操作されるとタイマ３６Ａおよび３６Ｂが計時を再開する。このとき、タイマ３６Ａはリセットされて吐出再開時からの計時を行い、タイマ３６Ｂは吐出中断以前の計時時間に累積して計時を行う。中止／つぎ足し釦３２が操作されて最終的に飲料販売が終了し、記憶釦３３が操作されると、タイマ３６Ｂで計時された時間が飲料販売釦３０の販売量としてＲＡＭ３７に格納される。
【００１０】
【特許文献１】
特開平８−７２９９２号公報
【００１１】
【発明が解決しようとする課題】
しかし、従来の送出量の設定装置によると、以下の問題がある。
（１）供給状態の目視による設定では、飲料を計量するメスシリンダ等の計量器を必要とするため、飲料の受容、移し替え、計量と煩雑な操作を要するという問題がある。また、上記した操作に起因する人的な誤差が計量値に含まれることがあるため、希望する供給量を精度良く実現することができない。
（２）特許文献１の発明では、押釦操作に基づく飲料の販売量を吐出バルブの開時間に基づいて設定しているため、吐出バルブが開いている間に飲料の供給不良等によって流量変動が生じてもこれを検出できない。その結果、販売時に設定値と実販売量との誤差を生じる。また、供給不良を検出するのに別途センサ等の検出器を設けるとコストアップを招くという問題もある。
【００１２】
従って、本発明の目的は、メスシリンダ等の計量器を用いることなく、飲料の流量変動が生じたとしても任意の供給量を実流量に基づいて容易に、かつ、正確に設定することのできる送出量の設定装置を提供することにある。
【００１３】
【課題を解決するための手段】
本発明は、上記目的を達成するため、管路に設けられて液体の送出を開始させるとともに前記液体の送出を停止させる送出部と、
前記液体を送出開始又は送出停止させる操作信号を前記送出部に入力する操作部と、
前記管路に設けられて前記操作信号に基づく前記液体の送出状態を監視して前記液体の実流量に応じた流量信号を出力する信号発生部と、
前記流量信号に基づいて指定された送出量を設定する設定部とを有することを特徴とする送出量の設定装置を提供する。
【００１４】
このような構成によれば、操作部の操作に基づいて信号発生部から入力する信号が実流量に基づく信号であるので、別途センサを設けることなく送出量を累積的に容易に監視できるとともに、流量変動等の送出状態が変化したとしても誤った販売量が設定されることを防げる。
【００１５】
操作部は、押釦の入力時を送出開始として入力を継続することによって液体の送出動作を継続させるとともに、押釦の入力解除時に送出動作を終了させるようにしても良く、例えば、希望する目視量で押釦の入力を解除したときの信号を販売量として設定することを可能にする。
【００１６】
また、操作部は、押釦の第１の入力を送出の開始として液体の送出動作を継続させるとともに、押釦の第２の入力によって送出動作を終了させるようにしても良い。
【００１７】
設定部は、販売動作の実行時に流量信号に基づく送出量と設定された販売量とが一致したときに販売動作の終了信号を出力する。これにより、設定された販売量と実際の販売量との誤差の発生を防げる。
【００１８】
また、設定部は、販売動作の実行時に流量信号に基づく送出量と機器の設置前に予め設定された販売量とが一致したときに販売動作の終了信号を出力する。これにより、機器の設置先で販売量の調整作業を行うことなく販売量に誤差のない販売を行うことを可能にする。
【００１９】
【発明の実施の形態】
以下に、本発明の実施の形態を図面を参照しながら説明する。
図１は、本発明の第１の実施の形態に係る飲料ディスペンサを示す。この飲料ディスペンサは、送出量の設定装置を含む販売制御部１と、種々の液体を予め定められた希釈比率に基づいて混合して販売飲料として供給する機械部２と、販売飲料を受容するカップ３と、カップ３を搭載するカップトレイ４とを有する。
【００２０】
販売制御部１は、販売量Ｓサイズの販売ボタン１０Ａと、販売量Ｍサイズの販売ボタン１０Ｂと、販売量Ｌサイズの販売ボタン１０Ｃとを有する販売ボタン部１０と、複数の操作モードを選択する操作モード入力部１１と、送出量設定部１２と、メモリ１３と、駆動部１４と、機械部２との制御信号を入出力するインターフェース（Ｉ／Ｆ）部１５と、上記した各部の動作を制御する主制御部１６と、上記した各部を接続するバス１７とを有する。
【００２１】
販売ボタン部１０は、上記した販売ボタン１０Ａ、１０Ｂ、および１０Ｃに飲料の購買者またはオペレータによって操作される図示しない押釦を有しており、押釦の操作に基づく販売要求信号をバス１７を介して主制御部１６に出力する。
【００２２】
操作モード入力部１１は、販売量の設定モード、販売モード、又は保守点検モードを選択するためにオペレータによって操作される図示しない押釦を有する。販売量の設定モードについての押釦を押すと、主制御部１６に販売量の設定モード信号が入力する。
【００２３】
送出量設定部１２は、販売量の設定モードにおいて販売ボタン１０Ａ、１０Ｂ、または１０Ｃの押釦の操作に基づいて送出された販売飲料を販売量として設定する図示しない押釦を有する。
【００２４】
メモリ１３は、各販売飲料について予め定めた希釈比率、使用する液体の種類、販売量を格納するとともに、上記した販売量の設定モードで設定された任意の販売量のデータを格納する。
【００２５】
駆動部１４は、機械部２に設けられる電磁弁やポンプに電力を供給する。
【００２６】
主制御部１６は、販売飲料、販売サイズ、および販売飲料の希釈比率に応じた各液体（希釈水、炭酸水、およびシロップ）の販売量を演算によって求める図示しない演算部を有する。
【００２７】
機械部２は、希釈水を供給する希釈水供給部２０と、炭酸水を供給する炭酸水供給部２１と、シロップＳを供給するシロップ供給部２２と、炭酸を充填したガスボンベ２３と、希釈水、炭酸水、シロップ等の液体を混合してカップ３に供給するバルブ２４と、希釈水供給部２０に希釈水を供給する取水管２５と、希釈水供給部２０からバルブ２４に希釈水を供給する希釈水管２６Ａと、炭酸水供給部２１からバルブ２４に炭酸水を供給する炭酸水管２６Ｂと、シロップ供給部２２から液体原料としてのシロップを供給するシロップ管２６Ｃと、希釈水供給部２０から炭酸水供給部２１に希釈水を供給する分岐管２７と、ガスボンベ２３に接続されて炭酸ガスを炭酸水供給部２１に供給するガス配管２８Ａと、ガスボンベ２３に接続されて炭酸ガスをシロップ供給部２２に供給するガス配管２８Ｂとを有する。
【００２８】
希釈水供給部２０は、希釈水管２６Ａを介して供給される希釈水の流量を監視する流量計２０Ａを有する。
【００２９】
炭酸水供給部２１は、炭酸水管２６Ｂを介して供給される炭酸水の流量を監視する流量計２１Ａを有する。
【００３０】
シロップ供給部２２は、シロップ管２６Ｃを介して供給されるシロップの流量を監視する流量計２２Ａを有する。
【００３１】
流量計２０Ａ、２１Ａ、および２２Ａは、本体内に液体を受けて回転する歯車あるいは羽根車等の回転子と、この回転子の回転数に応じたパルスを発生するパルスエンコーダとを有している。なお、パルスエンコーダは、発光素子と受光素子からなるフォトセンサであるが、回転子の回転数を検出できるものであれば特に限定されない。
【００３２】
ガスボンベ２３は、ガス配管２８Ａおよび２８Ｂを接続するバルブ２３Ａを有する。
【００３３】
また、希釈水供給部２０、炭酸水供給部２１、シロップ供給部２２、ガスボンベ２３、流量計２０Ａ、２１Ａ、および２２Ａは、配線１５Ａから１５Ｇによって販売制御部１のＩ／Ｆ部１５に接続されている。
【００３４】
図２は、機械部の構成を示す。希釈水供給部２０は、取水管２５に設けられて希釈水ＷＡを圧送する水ポンプ２０Ｂと、電磁弁２０Ｃおよび２０Ｄと、冷却水Ｗを貯留した冷却水槽２０Ｅと、冷却水Ｗに浸漬された冷却コイル２０Ｆと、希釈水管２６Ａから分岐する分岐管２７に設けられる電磁弁２０Ｇとを有する。
【００３５】
電磁弁２０Ｃおよび２０Ｄは、通電に基づいて管路を開くことによって希釈水ＷＡをバルブ２４に供給する。
【００３６】
冷却水槽２０Ｅは、図示しない冷却器によって貯留された冷却水Ｗを一定の温度（例えば、５℃）に冷却する。
【００３７】
冷却コイル２０Ｆは、管内を通過する希釈水ＷＡを冷却水Ｗの水温に基づいて冷却する。
【００３８】
電磁弁２０Ｇは、炭酸水供給部２１に設けられる後述するカーボネータに炭酸水用の希釈水ＷＡを給水する際に開放され、給水の完了後に閉塞される。
【００３９】
炭酸水供給部２１は、カーボネータ２１Ｂと、電磁弁２１Ｃおよび２１Ｄと、冷却水Ｗを貯留した冷却水槽２１Ｅと、冷却水Ｗに浸漬された冷却コイル２１Ｆとを有する。
【００４０】
カーボネータ２１Ｂは、容器内に満たされる希釈水ＷＡにガス配管２８Ａを介して供給される炭酸ガスを溶解させることによって炭酸水ＷＣを生成する。
【００４１】
シロップ供給部２２は、シロップＳを貯蔵するシロップタンク２２Ｂと、シロップＳを送出させるシロップポンプ２２Ｃと、電磁弁２２Ｄと、冷却水Ｗを貯留した冷却水槽２２Ｅと、冷却水Ｗに浸漬された冷却コイル２２Ｆとを有する。
【００４２】
シロップタンク２２Ｂは、ガス配管２８Ｂを介して供給される炭酸ガスの圧力に基づいてシロップＳを加圧してシロップ管２６Ｃに送出する。
【００４３】
シロップポンプ２２Ｃは、シロップＳを通過させるチューブをローラで送出方向に弾性変形させることにより一定容積量のシロップＳを送出させるチューブポンプである。なお、ポンプはチューブポンプ以外に、例えば、シロップＳを一対のギヤの回転に基づいて一定容積量で送出させるギヤポンプを用いてもよい。また、ギヤポンプを用いた場合には、ギヤの回転軸に流量計２２Ａを設ける構成としてもよい。
【００４４】
以下に、本発明の第１の実施の形態の動作について、前述の図面および図３のフローチャートを参照しつつ説明する。
【００４５】
（販売量の設定）
オペレータは、実販売時に使用するカップ３をカップトレイ４上に載置する。このカップ３は、例えば、側面方向からカップ内の飲料レベルが確認できる透明のものが好ましい。操作モード入力部１１に設けられる販売量の設定モード押釦を押すと（Ｓ１）、主制御部１６に販売量の設定モード信号が入力する。主制御部１６は、設定モード信号の入力に基づいて販売量の設定モードのプログラムをメモリ１３から読み込む。以下の説明では、ある販売飲料（無炭酸飲料）についてＳサイズとして任意の販売量を設定する動作について説明する。
【００４６】
次に、オペレータは取水管２５の水供給状態を確認して、販売ボタン１０Ａを指で押す（Ｓ２）。主制御部１６は、販売ボタン１０Ａの操作に基づいて希釈水供給部２０の水ポンプ２０Ｂ、電磁弁２０Ｃ、および２０Ｄに通電する。電磁弁２０Ｃおよび２０Ｄは、通電に基づいて管路を開くことによって希釈水管２６Ａを介して希釈水ＷＡがバルブ２４からカップ３に送出される（Ｓ３）。
【００４７】
オペレータは、販売ボタン１０Ａを継続して押すことによりバルブ２４からカップ３に希釈水ＷＡが送出される。流量計２０Ａは、希釈水ＷＡの流量に応じたパルスを流量信号として発生し、配線１５Ｂを介してＩ／Ｆ部１５に出力する。Ｉ／Ｆ部１５は、入力した流量信号をバス１７を介して主制御部１６に出力する。主制御部１６は、販売ボタン１０Ａが押されている間のパルスを送出量設定部１２にカウントさせる（Ｓ４）。
【００４８】
オペレータは、カップ３の飲料レベルを確認しながら、希望する販売量となったところで販売ボタン１０Ａから指を離すことにより（Ｓ５）、主制御部１６は水ポンプ２０Ｂ、電磁弁２０Ｃ、および２０Ｄの通電を終了する。電磁弁２０Ｃおよび２０Ｄは、通電終了に基づいて管路を閉じることによって希釈水ＷＡの送出が停止する。
【００４９】
主制御部１６は、販売ボタン１０Ａの押釦操作解除までに入力したパルスのパルスカウント値をメモリに新たなＳサイズの販売量として一時的に格納するとともに（Ｓ６）、販売飲料の希釈比率に基づいて希釈水ＷＡおよびシロップＳの正確な量を演算部で演算する。この演算結果は、上記した新たなＳサイズの販売量における販売飲料のパラメータとしてメモリ１３に格納される（Ｓ７）。
【００５０】
また、オペレータが販売ボタン１０Ａを操作したにもかかわらず流量計２０Ａからパルスが出力されないとき、主制御部１６は、希釈水管２６Ａまたは取水管２５の異常と判断して販売量の設定操作をエラー終了する（Ｓ８）。
【００５１】
また、上記した販売量の設定操作では、希釈水ＷＡを希望する販売量まで送出させた後、希釈比率に基づいて希釈水ＷＡおよびシロップＳの量を決定しているが、販売飲料を供給させることで販売量を設定するようにしてもよく、販売ボタン１０Ａの操作に基づいて販売飲料の供給状態を目視しながらカップ３に供給し、希望する販売量となったところで販売ボタン１０Ａから指を離すことで希釈水ＷＡおよびシロップＳの量がそれぞれメモリ１３に設定されるようにしてもよい。
【００５２】
図４は、販売ボタンの操作パターンと電磁弁の通電状態を示す。上記した販売量の設定操作は（ａ）に示すように販売ボタン１０Ａが継続的に押釦されている間は水ポンプ２０Ｂ、電磁弁２０Ｃ、および２０Ｄの通電を継続させるものであるが、（ｂ）に示すように、水ポンプ２０Ｂ、電磁弁２０Ｃ、および２０Ｄの非通電時に販売ボタン１０Ａが操作されたときは第１の入力として水ポンプ２０Ｂ、電磁弁２０Ｃ、および２０Ｄの通電を開始し、水ポンプ２０Ｂ、電磁弁２０Ｃ、および２０Ｄの通電中に販売ボタン１０Ａが操作されたときは第２の入力として水ポンプ２０Ｂ、電磁弁２０Ｃ、および２０Ｄの通電を停止するようにしてもよい。
【００５３】
上記した飲料ディスペンサによるカップ式飲料の販売動作は、購買者によって選択された販売飲料（無炭酸飲料）の販売ボタン１０Ａ（Ｓサイズが選択されたものとする）が押されると、主制御部１６は、駆動部１４に希釈水供給部２０の水ポンプ２０Ｂ、電磁弁２０Ｃ、および２０Ｄと、シロップ供給部２２のシロップポンプ２２Ｃおよび電磁弁２２Ｄの通電信号を出力する。駆動部１４は、通電信号に基づいてＩ／Ｆ部１５を介して電力を供給することにより、水ポンプ２０Ｂ、電磁弁２０Ｃ、２０Ｄ、２２Ｄ、およびシロップポンプ２２Ｃが通電して希釈水希釈水ＷＡおよびシロップＳが送出される。この希釈水ＷＡおよびシロップＳは、バルブ２４で混合されて販売飲料としてカップ３に供給される。送出量設定部１２は、流量計２０Ａおよび２２Ａから出力されるパルスをＩ／Ｆ部１５およびバス１７を介して入力し、規定の販売量となったところで主制御部１６に販売動作の終了信号を出力する。主制御部１６は、終了信号を入力することによって駆動部１４に通電信号を出力する。駆動部１４は、通電信号を入力すると水ポンプ２０Ｂ、電磁弁２０Ｃ、２０Ｄ、２２Ｄ、およびシロップポンプ２２Ｃへの通電を停止する。これにより、販売動作が終了する。
【００５４】
上記した第１の実施の形態によると、販売ボタン１０Ａの操作に基づいて流量計２０Ａから出力される流量に応じたパルスをカウントし、販売ボタン１０Ａから指が離れた時点までのパルスカウント値に基づいて販売量を設定するようにしたので、メスシリンダ等の計量器を用いることなく任意の販売量を設定する動作を目視に基づいて正確に、かつ容易に行うことができるとともに、販売ボタン１０Ａの操作中に希釈水ＷＡの流量が偶発的に変動したとしても販売量に誤差が生じることを防ぐことができる。
【００５５】
なお、上記した販売量の設定操作は、無炭酸飲料の販売量のほかに、炭酸飲料、弱炭酸飲料等の飲料についても有効であり、また、販売飲料の種類に関係なく有効である。
【００５６】
上記した第１の実施の形態では、オペレータの操作に基づいて販売量の設定を行う場合を説明したが、このオペレータの操作は、設置先で行うものの他に、飲料ディスペンサの工場出荷前等の設置前段階で行うようにしても良い。
【００５７】
以下に、第２の実施の形態として、工場出荷前に販売量の設定を行う場合を説明する。なお、飲料ディスペンサの構成については第１の実施の形態と同一の構成を有することから、各部について重複する説明を省略する。
【００５８】
オペレータは、飲料ディスペンサの組立て後に、出荷先での使用条件に基づいて指示された各飲料の販売量（Ａｍｌ）の値に基づいて販売量の設定操作を行う。販売量の設定動作については図３で説明したＳ１からＳ８のステップに基づいて行うことにより、各飲料について販売量を設定する。販売制御部１は、設定された販売量を各飲料毎にメモリ１３に格納する。
【００５９】
上記した第２の実施の形態によると、指定された各飲料の販売量を飲料ディスペンサの設置前に行うことで、設置先でユーザーや装置管理者が販売量を設定する面倒な操作を行う必要がなく、設置後に無調整で各飲料の販売を行うことが可能になる。また、飲料ディスペンサの製造者は、出荷先の使用条件に応じた販売量の設定を出荷前に行うことで、機器の不良や使用条件に応じた送出特性を把握でき、信頼性の高い飲料ディスペンサを提供することができる。
【００６０】
【発明の効果】
以上説明したように、本発明の送出量の設定装置によると、販売量の設定時に送出される液体の流量に応じた流量信号をカウントし、希望する販売量となったときのパルスカウント値の積算値に基づいて販売量を設定するようにしたため、メスシリンダ等の計量器を用いることなく、飲料の流量変動が生じたとしても任意の供給量を実流量に基づいて容易に、かつ、正確に設定することができる。
【図面の簡単な説明】
【図１】本発明の実施の形態に係る送出量の設定装置の概略構成図である。
【図２】本発明の実施の形態に係る機械部の構成を示す配管構成図である。
【図３】本発明の実施の形態に係る送出量動作を示すフローチャートである。
【図４】本発明の実施の形態に係る送出量設定操作における販売ボタン（Ｓ）の押釦操作とそれに基づく電磁弁の開閉動作を示すタイミングチャートである。
【図５】従来の送出量の設定装置の概略構成を示すブロック図である。
【符号の説明】
１、販売制御部  ２、機械部  ３、カップ  ４、カップトレイ
１０、販売ボタン部  １０Ａ、販売ボタン  １０Ｂ、販売ボタン
１０Ｃ、販売ボタン  １１、操作モード入力部  １２、送出量設定部
１３、メモリ  １４、駆動部  １５、Ｉ／Ｆ部
１５Ａ〜１５Ｇ、配線  １６、主制御部  １７、バス  ２０、希釈水供給部
２０Ａ、流量計  ２０Ｂ、水ポンプ  ２０Ｃ、電磁弁
２０Ｄ、電磁弁  ２０Ｅ、冷却水槽  ２０Ｆ、冷却コイル
２０Ｇ、電磁弁  ２１、炭酸水供給部  ２１Ａ、流量計
２１Ｂ、カーボネータ  ２１Ｃ、電磁弁  ２１Ｄ、電磁弁
２１Ｅ、冷却水槽  ２１Ｆ、冷却コイル  ２２、シロップ供給部
２２Ａ、流量計  ２２Ｂ、シロップタンク  ２２Ｃ、シロップポンプ
２２Ｄ、電磁弁  ２２Ｅ、冷却水槽  ２２Ｆ、冷却コイル
２３、ガスボンベ  ２３Ａ、バルブ  ２４、バルブ
２５、取水管  ２６Ａ、希釈水管  ２６Ｂ、炭酸水管  ２６Ｃ、シロップ管
２７、分岐管  ２８Ａ、ガス配管  ２８Ｂ、ガス配管  ３０、飲料販売釦
３１、モード設定釦  ３２、中止／つぎ足し釦  ３３、記憶釦
３４、Ｉ／Ｏ部  ３５、吐出バルブ  ３６、ＣＰＵ  ３６Ａ、タイマ
３６Ｂ、タイマ  ３７、ＲＡＭ
【図１】
2004217262.tif 000003
【図２】
2004217262.tif 000004
【図３】
2004217262.tif 000005
【図４】
2004217262.tif 000006
【図５】
2004217262.tif 000007